(57)【要約】      （修正有）【課題】複数の電子部品装着装置を並設する装着ラインにあっても、フィーダ情報と部品情報との関連付け作業のためのスキャナが１つで済む電子部品装着方法を提供する。【解決手段】作業者が無線ＢＣＲで部品供給ユニットに付されたこの部品供給ユニット固有の情報であるフィーダ情報と収納テープが巻回収納されたテープ供給リールに付された部品ＩＤ及び電子部品の収納数量に係る部品情報とを読み取り、無線ＢＣＲが部品情報及びフィーダ情報を無線機器管理ＰＣ及び無線送受信装置に送信し、前記無線送受信装置は無線ＢＣＲから受信したフィーダ情報及び部品情報を無線機器管理ＰＣに送信し、この無線機器管理ＰＣはサーバーＰＣへ受信したフィーダ情報及び部品情報を送信し、このフィーダ情報及び部品情報を受信したサーバーＰＣはフィーダ情報と部品情報とを関連付けて登録して格納する。【選択図】図４
2008244217.tif 000002
【特許請求の範囲】
【請求項１】
収納部材に収納された電子部品を供給する複数の部品供給ユニットを取付台に並設して、所定の部品供給ユニットより電子部品を取出してプリント基板上に装着する電子部品装着方法において、
作業者が無線式スキャナで前記部品供給ユニットに付されたこの部品供給ユニット固有の情報であるフィーダ情報と収納部材に付された部品ＩＤ及び電子部品の収納数量に係る部品情報とを読み取り、
前記無線式スキャナが前記部品情報及び前記フィーダ情報を無線送受信装置に送信し、
前記無線送受信装置は前記無線式スキャナから受信した前記フィーダ情報及び部品情報を無線機器管理コンピュータに送信し、
この無線機器管理コンピュータは受信したフィーダ情報及び部品情報をサーバーコンピュータへ送信し、
このフィーダ情報及び部品情報を受信したサーバーコンピュータはフィーダ情報と部品情報とを関連付けて登録して格納する
ことを特徴とする電子部品装着方法。
【請求項２】
供給リールに巻回収納された収納テープに収納された電子部品を供給する複数の部品供給ユニットを取付台に並設して、所定の部品供給ユニットより電子部品を取出してプリント基板上に装着する電子部品装着方法において、
作業者が無線式スキャナで新しい収納テープを古い収納テープに接続するスプライシングに係る部品供給ユニットに付されたこの部品供給ユニット固有の情報であるフィーダ情報を読み取って無線機器管理コンピュータへ送信し、
無線機器管理コンピュータは受信したフィーダ情報に基づいて対象部品供給ユニットに対応する部品情報をサーバーコンピュータから読み込み、読み込んだ部品情報及びフィーダ情報を無線式スキャナに送信し、
作業者が無線式スキャナでスプライシングを行う新しい収納テープが巻回収納されたテープ供給リールに付された部品情報を読み取って、この部品情報を無線機器管理コンピュータへ送信し、
無線式スキャナはこの無線式スキャナを使用して読み込んだ現実の新しい収納テープに係る部品情報と無線式スキャナを使用して読み込んだスプライシングに係る部品供給ユニットのフィーダ情報に基づいて読み込んだ対象部品供給ユニットに対応する部品情報とを比較し、
比較結果が一致したものであれば無線式スキャナは無線送受信装置に前記フィーダ情報及び部品情報を送信し、
この無線送受信装置は前記無線式スキャナから受信した前記フィーダ情報及び部品情報を無線機器管理コンピュータに送信し、
無線機器管理コンピュータは受信したフィーダ情報及び部品情報をサーバーコンピュータへ送信し、
このフィーダ情報及び部品情報を受信したサーバーコンピュータはフィーダ情報と部品情報との関連付けを上書き登録する
ことを特徴とする電子部品装着方法。
【請求項３】
収納部材に収納された電子部品を供給する複数の部品供給ユニットを取付台に並設して、所定の部品供給ユニットより電子部品を取出してプリント基板上に装着する電子部品装着方法において、
作業者が無線式スキャナで前記取付台上への配置位置を変更する部品供給ユニットに付されたこの部品供給ユニット固有の情報であるフィーダ情報と収納部材に付された部品ＩＤ及び電子部品の収納数量に係る部品情報とを読み取り、
前記無線式スキャナが前記部品情報及び前記フィーダ情報を無線送受信装置に送信し、
前記無線送受信装置は前記無線式スキャナから受信した前記フィーダ情報及び部品情報を無線機器管理コンピュータに送信し、
この無線機器管理コンピュータは受信したフィーダ情報及び部品情報をサーバーコンピュータへ送信し、
このフィーダ情報及び部品情報を受信したサーバーコンピュータはフィーダ情報と部品情報とを関連付けて上書き登録して格納する
ことを特徴とする電子部品装着方法。
【請求項４】
登録又は上書き登録が正しく行われたか否かの判定結果を前記無線式スキャナの表示装置に表示することを特徴とする請求項１乃至請求項３のいずれかに記載の電子部品装着方法。
【発明の詳細な説明】
【技術分野】
【０００１】
本発明は、収納部材に収納された電子部品を供給する複数の部品供給ユニットを取付台に並設して、所定の部品供給ユニットより電子部品を取出してプリント基板上に装着する電子部品装着方法に関する。
【背景技術】
【０００２】
この種の電子部品の装着方法は、例えば特許文献１などに開示されているが、有線式のバーコードスキャナを用いて部品供給ユニットに付されたバーコードから構成されるフィーダ情報（フィーダシリアル番号）を読み取って、また収納テープが巻回収納された供給リールに付されたバーコードから構成される部品情報（電子部品のＩＤや収納数量等に係る情報）を読み取って、部品供給ユニット毎にこのフィーダ情報と部品情報とを関連付けて、サーバーに登録していた。
【特許文献１】特開平７−９４８９６号公報
【発明の開示】
【発明が解決しようとする課題】
【０００３】
しかし、作業者が有線式のバーコードスキャナを使用して、フィーダ情報と部品情報とを関連付けをサーバーに登録したり又は上書き登録していたので、１つの電子部品の装着ラインにおいて、複数の電子部品装着装置を並設するものにあっては、これらの作業のためのバーコードスキャナを電子部品装着装置毎に用意しなければならなかった。
【０００４】
そこで本発明は、複数の電子部品装着装置を並設する装着ラインにあっても、フィーダ情報と部品情報との関連付け作業のためのスキャナが１つで済む電子部品装着方法を提供することを目的とする。
【課題を解決するための手段】
【０００５】
このため第１の発明は、収納部材に収納された電子部品を供給する複数の部品供給ユニットを取付台に並設して、所定の部品供給ユニットより電子部品を取出してプリント基板上に装着する電子部品装着方法において、
作業者が無線式スキャナで前記部品供給ユニットに付されたこの部品供給ユニット固有の情報であるフィーダ情報と収納部材に付された部品ＩＤ及び電子部品の収納数量に係る部品情報とを読み取り、
前記無線式スキャナが前記部品情報及び前記フィーダ情報を無線送受信装置に送信し、
前記無線送受信装置は前記無線式スキャナから受信した前記フィーダ情報及び部品情報を無線機器管理コンピュータに送信し、
この無線機器管理コンピュータは受信したフィーダ情報及び部品情報をサーバーコンピュータへ送信し、
このフィーダ情報及び部品情報を受信したサーバーコンピュータはフィーダ情報と部品情報とを関連付けて登録して格納する
ことを特徴とする。
【０００６】
第２の発明は、供給リールに巻回収納された収納テープに収納された電子部品を供給する複数の部品供給ユニットを取付台に並設して、所定の部品供給ユニットより電子部品を取出してプリント基板上に装着する電子部品装着方法において、
作業者が無線式スキャナで新しい収納テープを古い収納テープに接続するスプライシングに係る部品供給ユニットに付されたこの部品供給ユニット固有の情報であるフィーダ情報を読み取って無線機器管理コンピュータへ送信し、
無線機器管理コンピュータは受信したフィーダ情報に基づいて対象部品供給ユニットに対応する部品情報をサーバーコンピュータから読み込み、読み込んだ部品情報及びフィーダ情報を無線式スキャナに送信し、
作業者が無線式スキャナでスプライシングを行う新しい収納テープが巻回収納されたテープ供給リールに付された部品情報を読み取って、この部品情報を無線機器管理コンピュータへ送信し、
無線式スキャナはこの無線式スキャナを使用して読み込んだ現実の新しい収納テープに係る部品情報と無線式スキャナを使用して読み込んだスプライシングに係る部品供給ユニットのフィーダ情報に基づいて読み込んだ対象部品供給ユニットに対応する部品情報とを比較し、
比較結果が一致したものであれば無線式スキャナは無線送受信装置に前記フィーダ情報及び部品情報を送信し、
この無線送受信装置は前記無線式スキャナから受信した前記フィーダ情報及び部品情報を無線機器管理コンピュータに送信し、
無線機器管理コンピュータは受信したフィーダ情報及び部品情報をサーバーコンピュータへ送信し、
このフィーダ情報及び部品情報を受信したサーバーコンピュータはフィーダ情報と部品情報との関連付けを上書き登録する
ことを特徴とする。
【０００７】
第３の発明は、収納部材に収納された電子部品を供給する複数の部品供給ユニットを取付台に並設して、所定の部品供給ユニットより電子部品を取出してプリント基板上に装着する電子部品装着方法において、
作業者が無線式スキャナで前記取付台上への配置位置を変更する部品供給ユニットに付されたこの部品供給ユニット固有の情報であるフィーダ情報と収納部材に付された部品ＩＤ及び電子部品の収納数量に係る部品情報とを読み取り、
前記無線式スキャナが前記部品情報及び前記フィーダ情報を無線送受信装置に送信し、
前記無線送受信装置は前記無線式スキャナから受信した前記フィーダ情報及び部品情報を無線機器管理コンピュータに送信し、
この無線機器管理コンピュータは受信したフィーダ情報及び部品情報をサーバーコンピュータへ送信し、
このフィーダ情報及び部品情報を受信したサーバーコンピュータはフィーダ情報と部品情報とを関連付けて上書き登録して格納する
ことを特徴とする。
【０００８】
第４の発明は、第１乃至第３の発明において、登録又は上書き登録が正しく行われたか否かの判定結果を前記無線式スキャナの表示装置に表示することを特徴とする。
【発明の効果】
【０００９】
本発明は、複数の電子部品装着装置を並設する装着ラインにあっても、フィーダ情報と部品情報との関連付け作業のためのスキャナが１つで済む電子部品装着方法を提供することができる。
【発明を実施するための最良の形態】
【００１０】
以下、図面に基づき本発明の実施形態につき説明する。図１は電子部品装着装置１の平面図であり、電子部品装着装置１の装置本体２上の前部及び後部には部品供給装置３Ａ、３Ｂ、３Ｃ、３Ｄが４つのブロックに分かれて複数並設されている。部品供給装置３Ａはレーン番号（部品供給ユニットの配置番号）が１００番台であり、部品供給装置３Ｂはレーン番号が２００番台であり、部品供給装置３Ｃはレーン番号が３００番台であり、部品供給装置３Ｄはレーン番号が４００番台である。
【００１１】
前記各部品供給装置３Ａ、３Ｂ、３Ｃ、３Ｄは、取付台であるカート台（図示せず）上に部品供給ユニット５を多数並設したものであり、部品供給側の先端部がプリント基板Ｐの搬送路に臨むように前記装置本体２に連結具（図示せず）を介して着脱可能に配設され、この連結具を解除し回動可能に両端部が支持された把手を引くと下面に設けられたキャスタにより移動できる構成である。そして、各部品供給装置３Ａ、３Ｂ、３Ｃ、３Ｄは、部品供給側の先端部が装着ヘッド６のピックアップ領域に臨むように配設されており、各部品供給ユニット５は前記カート台に回転自在に載置した供給リールに巻回した状態で順次繰り出された収納テープを電子部品の吸着取出位置まで駆動源により間欠送りするテープ送り機構と、駆動源の駆動により吸着取出位置の手前でキャリアテープからカバーテープを引き剥がすためのカバーテープ剥離機構とを備え、カバーテープ剥離機構によりカバーテープを剥離してキャリアテープの収納部に装填された電子部品を順次吸着取出位置へ供給して先端部から１つずつ取出し可能とする。
【００１２】
また、各部品供給ユニット５の所定箇所、例えば前記カート台への取り付け又は取り外しの際に使用する把手にバーコードから構成されるフィーダ情報（フィーダシリアル番号で、各部品供給ユニット５の固有の番号）が記載されたラベルが付されている。また、収納テープが巻回収納された前記供給リールに、バーコードから構成される部品情報（電子部品の名称である部品ＩＤ及び電子部品の収納数量）が記載されたラベルが付されている。
【００１３】
そして、前部の部品供給装置３Ｂ、３Ｄと後部の部品供給装置３Ａ、３Ｃとの間には、基板搬送機構を構成する２つの供給コンベア、位置決め部８、８（コンベアを有する）及び排出コンベアが設けられている。前記各供給コンベアは上流より受けた各プリント基板Ｐを前記各位置決め部８に搬送し、この各位置決め部８で図示しない位置決め機構により位置決めされた各基板Ｐ上に電子部品が装着された後、各排出コンベアに搬送され、その後下流側装置に搬送される。
【００１４】
そして、リニアモータの駆動によりガイドレール９に沿ってＹ方向にビーム１０が移動する構成であり、各ビーム１０にはＸ方向にＸ軸駆動源であるリニアモータの駆動によりＸ方向に移動する装着ヘッド６が設けられる。また、前記装着ヘッド６には、電子部品を吸着保持する吸着ノズル（図示せず）が設けられる。そして、前記吸着ノズルは、図示しない上下軸モータ及びθ軸モータにより上下動が可能で、且つ鉛直軸周りに回転可能である。
【００１５】
１２は前記装置本体２に前記装着ヘッド６に対応して設けられる部品認識カメラで、部品供給装置３Ａ、３Ｂ、３Ｃ、３Ｄより取出されて吸着ノズルに吸着保持された電子部品を撮像して、図示しない認識処理装置により電子部品の位置が認識処理される。
【００１６】
次に、図２のフィーダ情報と部品情報との関連付けを登録したり又は上書き登録するための制御ブロック図について説明すると、３０は読取装置としての無線式バーコードスキャナ（以下、「無線ＢＣＲ」という。）で、前記部品供給ユニット５の所定箇所、例えば部品供給装置３Ａ、３Ｂ、３Ｃ、３Ｄのカート台への取り付け又は取り外しの際に使用する把手に付されたラベルに記載されたバーコードから構成されるフィーダ情報（シリアル番号で、各部品供給ユニット５の固有の番号）や、収納テープが巻回収納されたテープ供給リール（図示せず）に付されたラベルに記載されたバーコードから構成される部品情報（電子部品の名称である部品ＩＤ及び電子部品の収納数量）を読み取るものである。
【００１７】
図３に示すように、前記無線ＢＣＲ３０は、バーコードリーダー３０Ａ、タッチパネルスイッチが設けられた表示装置としてのモニタ３０Ｂ及び各種操作ボタン３０Ｃが設けられている。
【００１８】
３１は無線機器管理パーソナルコンピュータ（以下、「無線機器管理ＰＣ」という。）で、前記無線ＢＣＲ３０と送受信可能であり、またＬＡＮ回線３２を介して無線送受信装置３３及びサーバーパーソナルコンピュータ（以下、「サーバーＰＣ」という。）３４に接続される。また、前記無線機器管理ＰＣは複数存在する無線ＢＣＲ３０の情報を格納保持しており、どの無線ＢＣＲ３０から情報を受信したかを理解でき、表示装置としてのモニタ、キーボード等の入力手段及びマウス等の操作手段が接続されている。
【００１９】
前記サーバーＰＣ３４は、フィーダ情報と部品情報との関連付けを登録して格納すると共に前記関連付けを上書き登録すると共に、前記フィーダ情報（フィーダシリアル番号）と部品シリアル番号（電子部品の固有の番号）との対応表や、部品シリアル番号と部品ＩＤ（電子部品の名称）との対応表が格納されている。
【００２０】
なお、複数の電子部品装着装置を並設した装着ラインを複数設けた場合でも、無線機器管理ＰＣは全体で１台で、無線ＢＣＲ３０、サーバーＰＣ３４及び無線送受信装置３３は装着ライン毎に１台設けられる。また、複数の装着ラインが設けられた構内に、無線機器管理ＰＣ、無線ＢＣＲ３０、サーバーＰＣ３４及び無線送受信装置３３を各１つでもよい。
【００２１】
以上の構成により、図４に基づいて、フィーダ情報と部品情報とを関連付けて、前記サーバーＰＣ３４に格納する部品登録手順について説明する。初めに、無線ＢＣＲ３０のモニタ３０Ｂに表示されたタッチパネルスイッチの「部品登録」スイッチ部３０Ｄを押圧操作し、作業者がこの無線ＢＣＲ３０を使用して、所定の部品供給ユニット５の把手に付されたラベルに記載されたバーコードから構成されるフィーダ情報（シリアル番号で、各部品供給ユニットの固有の番号）を読み取ると、無線ＢＣＲ３０は自己のモニタ３０Ｂにこのフィーダシリアル番号（図５の「フィーダＳ／Ｎ」で表す）を表示部３０Ｇに表示する。
【００２２】
次に、無線ＢＣＲ３０を使用して、収納テープが巻回収納されたテープ供給リールに付されたラベルに記載されたバーコードから構成される部品情報（電子部品の名称である部品ＩＤ及び電子部品の収納数量等）を読み取ると、無線ＢＣＲ３０は自己のモニタ３０Ｂにこの部品ＩＤを表示部３０Ｈに表示すると共にこの部品情報及び前記フィーダ情報を無線機器管理ＰＣ３１へ送信する。
【００２３】
また、前記無線ＢＣＲ３０は、複数の装着ラインのうち当該装着ラインに対応する無線送受信装置３３に前記フィーダ情報及び部品情報を送信する。そして、この無線送受信装置３３は、前記無線ＢＣＲ３０から受信した前記フィーダ情報及び部品情報を無線機器管理ＰＣ３１にＬＡＮ回線３２を介して送信する。すると、無線機器管理ＰＣ３１はサーバーＰＣ３４へ受信したフィーダ情報及び部品情報をＬＡＮ回線３２を介して送信する。このフィーダ情報及び部品情報を受信したサーバーＰＣ３４はフィーダ情報と部品情報とを関連付けて新規に登録して格納する。
【００２４】
この場合、サーバーＰＣ３４はこの登録作業を終えると、その登録作業が正しく行われたか否かの判定結果をＬＡＮ回線３２を介して無線機器管理ＰＣ３１に送信する。この判定結果を受信した無線機器管理ＰＣ３１は複数存在する無線ＢＣＲ３０の情報を保持しており、どの無線ＢＣＲ３０から受信したものかが判明でき、部品情報及びフィーダ情報を送信してきた無線ＢＣＲ３０に対してこの判定結果を送信する。この判定結果を受信した無線ＢＣＲ３０は、この判定結果を自己のモニタ３０Ｂの表示部３０Ｉに表示する。
【００２５】
なお、以上のように登録作業をしたが、無線機器管理ＰＣ３１とサーバーＰＣとの通信が行えなかった場合などには、無線ＢＣＲ３０のモニタ３０Ｂの表示部３０Ｉに「ＮＧ」を表示する。このように、無線無線ＢＣＲ３０を所持していることにより、登録の「ＯＫ」、「ＮＧ」をその場で確認することができる。
【００２６】
このようにして、その他の部品供給ユニット５についても、同様に登録作業を行い、当該部品供給ユニット５毎にフィーダ情報と部品情報とを関連付けてサーバーＰＣ３４に新規に登録して格納する。
【００２７】
次に、新しい収納テープを古い収納テープに接続するスプライシング時のフィーダ情報と部品情報との関連付けの上書き登録手順について説明する。先ず、所定の収納テープに収納された電子部品の残量が減少して、設定残量数、設定生産可能基板枚数、設定生産可能時間のうち、いち早く設定残量数に達した場合には、電子部品装着装置の制御装置は部品切れ予告情報をパーソナルコンピュータ（図示せず）に送信してそのモニタに表示させる。従って、電子部品装着装置の管理者（作業者）は、前記モニタを見ることにより、やがて電子部品が無くなることが予想できるので、部品切れが生じる前に当該部品切れ予告情報に係るフィーダシリアル番号に係る部品供給ユニット５に搭載される部品シリアル番号の電子部品に係るテープ供給リールを材料置き場から準備して、実際に当該部品供給ユニット５に対応してカート台に搭載されているテープ供給リールと交換して、古い収納テープと新しい収納テープとを連結してスプライシングを行う。
【００２８】
このスプライシング時のフィーダ情報と部品情報との関連付けの上書き登録手順について、図６に基づき、説明する。初めに、無線ＢＣＲ３０のモニタ３０Ｂに表示されたタッチパネルスイッチの「スプライシング」スイッチ部３０Ｆを押圧操作し、作業者がこの無線ＢＣＲ３０を使用して、スプライシングに係る部品供給ユニット５の把手に付されたラベルに記載されたバーコードから構成されるフィーダ情報（シリアル番号で、各部品供給ユニットの固有の番号）を読み取ると、無線ＢＣＲ３０は自己のモニタ３０Ｂにこのフィーダシリアル番号を表示部３０Ｇに表示すると共にこのフィーダ情報を無線機器管理ＰＣ３１へＬＡＮ回線３２を介して送信する。
【００２９】
次に、受信したフィーダ情報に基づいて、無線機器管理ＰＣ３１は対象部品供給ユニット５に対応する部品情報をサーバーＰＣ３４から読み込む。そして、無線機器管理ＰＣ３１は、読み込んだ部品情報及びフィーダ情報を無線ＢＣＲ３０に送信する。すると、無線ＢＣＲ３０は受信した部品情報及びフィーダ情報を自己のモニタ３０Ｂに表示する。
【００３０】
次に、無線ＢＣＲ３０を使用して、スプライシングを行う新しい収納テープが巻回収納されたテープ供給リールに付されたラベルに記載されたバーコードから構成される部品情報（電子部品の名称である部品ＩＤ及び電子部品の収納数量等）を読み取り、無線ＢＣＲ３０は自己のモニタ３０Ｂにこの部品ＩＤを表示部３０Ｈに表示すると共にこの部品情報及び前記フィーダ情報を無線機器管理ＰＣ３１へ送信する。
【００３１】
すると、無線ＢＣＲ３０は無線ＢＣＲ３０を使用して読み込んだ現実の新しい収納テープに係る部品情報のうちの部品ＩＤと、無線ＢＣＲ３０を使用して読み込んだスプライシングに係る部品供給ユニット５のフィーダ情報に基づいて読み込んだ対象部品供給ユニット５に対応する部品情報のうちの部品ＩＤとを比較する。この比較結果がＮＧ（不一致）なら自己のモニタ３０Ｂの表示部３０Ｉにその旨を表示し、ＯＫ（一致）ならその旨を表示すると共に、前記無線ＢＣＲ３０は複数の装着ラインのうち当該装着ラインに対応する無線送受信装置３３に前記フィーダ情報及び部品情報を送信する。そして、この無線送受信装置３３は、前記無線ＢＣＲ３０から受信した前記フィーダ情報及び部品情報を無線機器管理ＰＣ３１にＬＡＮ回線３２を介して送信する。すると、無線機器管理ＰＣ３１はサーバーＰＣ３４へ受信したフィーダ情報及び部品情報をＬＡＮ回線３２を介して送信する。このフィーダ情報及び部品情報を受信したサーバーＰＣ３４は、フィーダ情報と部品情報との関連付けを上書き登録する。
【００３２】
この場合、サーバーＰＣ３４はこの上書き登録作業を終えると、その上書き登録作業が正しく行われたか否かの判定結果をＬＡＮ回線３２を介して無線機器管理ＰＣ３１に送信する。この判定結果を受信した無線機器管理ＰＣ３１は、複数存在する無線ＢＣＲ３０の情報を保持しており、どの無線ＢＣＲ３０から受信したものかが判明でき、部品情報及びフィーダ情報を送信してきた無線ＢＣＲ３０に対してこの判定結果を送信する。この判定結果を受信した無線ＢＣＲ３０は、この判定結果を自己のモニタ３０Ｂの表示部３０Ｉに表示する。
【００３３】
なお、以上のように、スプライシングの際の上書き登録作業をしたが、無線機器管理ＰＣ３１とサーバーＰＣとの通信が行えなかった場合などには、モニタ３０Ｂの表示部３０Ｉに「ＮＧ」を表示する。
【００３４】
次に、前記部品供給装置３Ａ、３Ｂ、３Ｃ、３Ｄのいずれかの部品供給ユニット５に対応して配置されたテープ供給リールに部品切れが発生したとき、又は生産するプリント基板の種類が変わったときなどに、部品供給ユニット５をカート台から取り外し、テープ供給リールに巻かれた収納テープを交換することによって部品を交換する。このときのフィーダ情報と部品情報との関連付けを上書き登録する手順について、図７に基づいて説明する。初めに、無線ＢＣＲ３０のモニタ３０Ｂに表示されたタッチパネルスイッチの「部品交換」スイッチ部３０Ｅを押圧操作し、作業者がこの無線ＢＣＲ３０を使用して、所定の部品供給ユニット５の把手に付されたラベルに記載されたバーコードから構成されるフィーダ情報（シリアル番号で、各部品供給ユニットの固有の番号）を読み取ると、無線ＢＣＲ３０は自己のモニタ３０Ｂにこのフィーダシリアル番号を表示部３０Ｇに表示する。
【００３５】
次に、無線ＢＣＲ３０を使用して、収納テープが巻回収納された新しいテープ供給リールに付されたラベルに記載されたバーコードから構成される部品情報（電子部品の名称である部品ＩＤ及び電子部品の収納数量等）を読み取ると、無線ＢＣＲ３０は自己のモニタ３０Ｂにこの部品ＩＤを表示部３０Ｈに表示すると共にこの部品情報及び前記フィーダ情報を無線機器管理ＰＣ３１へ送信する。
【００３６】
また、前記無線ＢＣＲ３０は、複数の装着ラインのうち当該装着ラインに対応する無線送受信装置３３に前記フィーダ情報及び部品情報を送信する。そして、この無線送受信装置３３は、前記無線ＢＣＲ３０から受信した前記フィーダ情報及び部品情報を無線機器管理ＰＣ３１にＬＡＮ回線３２を介して送信する。すると、無線機器管理ＰＣ３１はサーバーＰＣ３４へ受信したフィーダ情報及び部品情報をＬＡＮ回線３２を介して送信する。このフィーダ情報及び部品情報を受信したサーバーＰＣ３４はフィーダ情報と部品情報とを関連付けて上書き登録して格納する。
【００３７】
この場合、サーバーＰＣ３４はこの上書き登録作業を終えると、その上書き登録作業が正しく行われたか否かの判定結果をＬＡＮ回線３２を介して無線機器管理ＰＣ３１に送信する。この判定結果を受信した無線機器管理ＰＣ３１は複数存在する無線ＢＣＲ３０の情報を保持しており、どの無線ＢＣＲ３０から受信したものかが判明でき、部品情報及びフィーダ情報を送信してきた無線ＢＣＲ３０に対してこの判定結果を送信する。この判定結果を受信した無線ＢＣＲ３０は、この判定結果を自己のモニタ３０Ｂの表示部３０Ｉに表示する。
【００３８】
部品交換が完了した部品供給ユニットをカート台に取り付けると、取り付けられるべき部品ＩＤの部品を供給する部品供給ユニットが取り付けられているか否かが確認される。そして、確認結果が「ＯＫ」又は「ＮＧ」で、電子部品装着装置のモニタ及び無線ＢＣＲ３０のモニタ３０Ｂに表示される。
【００３９】
なお、以上のように上書き登録作業をしたが、無線機器管理ＰＣ３１とサーバーＰＣとの通信が行えなかった場合などには、モニタ３０Ｂの表示部３０Ｉに「ＮＧ」を表示する。
【００４０】
なお、フィーダ情報と関連付ける部品情報は、部品ＩＤのみであってもよい。
【００４１】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００４２】
【図１】電子部品装着装置の平面図を示す。
【図２】フィーダ情報と部品情報との関連付けを登録したり又は上書き登録するための制御ブロック図である。
【図３】無線ＢＣＲを示す図である。
【図４】フィーダ情報と部品情報とを関連付けてサーバーＰＣに格納する部品登録手順についてのフローチャートを示す図である。
【図５】無線ＢＣＲの表示画面を示す図である。
【図６】スプライシングの際のフィーダ情報と部品情報とを関連付けてサーバーＰＣに格納する上書き登録手順についてのフローチャートを示す図である。図である。
【図７】部品供給ユニットの部品交換をする際のフィーダ情報と部品情報とを関連付けてサーバーＰＣに格納する上書き登録手順についてのフローチャートを示す図である。
【符号の説明】
【００４３】
１          電子部品装着装置
３          部品供給ユニット
３０        無線ＢＣＲ
３１        無線機器管理ＰＣ
３３        無線送受信装置
３４        サーバーＰＣ
【図１】
2008244217.tif 000003
【図２】
2008244217.tif 000004
【図３】
2008244217.tif 000005
【図４】
2008244217.tif 000006
【図５】
2008244217.tif 000007
【図６】
2008244217.tif 000008
【図７】
2008244217.tif 000009